(57)【要約】【課題】高い携帯性を有するとともに、使用者の好みに合わせて、又は静電気除去具を付けるもののデザイン等に合わせて、その外観を容易に変更することができ、例えば複数のキーに対して個別のキーホルダとして複数使用した場合において、これら複数のキーの区別が容易である静電気除去具を提供する。【解決手段】人体又は物体に蓄電した静電気の除去を放電回路４により行う静電気除去具であって、前記放電回路４が取り付けられた本体１と、該本体１の表面を被う透明なカバー体２と、前記本体１及び前記カバー体２の間に位置させる、表面に模様などを有するシート体３とを備え、前記カバー体２を前記本体１に対して着脱自在としてなることを特徴とするものである。【選択図】図１
0003128942.tif 000002
【実用新案登録請求の範囲】
【請求項１】
人体又は物体に蓄電した静電気の除去を放電回路により行う静電気除去具であって、
前記放電回路が取り付けられた本体と、
該本体の表面を被う透明なカバー体と、
前記本体及び前記カバー体の間に位置させる、表面に模様などを有するシート体とを備え、
前記カバー体を前記本体に対して着脱自在としてなることを特徴とする静電気除去具。
【請求項２】
前記本体をプレート状とし、前記カバー体を前記本体のほぼ表面全体を被う大きさのプレート状とし、これら本体及びカバー体の一方の側端部に係止片を、他方の側端部に該係止片が係止される凹部を形成してなる請求項１記載の静電気除去具。
【請求項３】
前記本体に前記放電回路の放電状態を示す表示部を設け、前記シート体を前記本体のほぼ表面全体を被うものとし、該シート体に前記表示部を外部から視認可能とする開口部を設けてなる請求項１又は２記載の静電気除去具。
【考案の詳細な説明】
【技術分野】
【０００１】
本考案は、静電気の放電による電気ショックをなくすための静電気除去具の改良に関するものである。
【背景技術】
【０００２】
特に冬場における空気乾燥時には静電気が発生しやすく、人の指先等が金属等の導電体に触れた際若しくはキーを鍵穴に挿入した際における人体に蓄電している静電気の放電、又は、ドアノブ等の静電気が帯電している物体に人の指先等が触れた際における静電気の放電により、不快な痛みや痺れ等が生じることがある。このような静電気の放電による不快な電気ショックをなくすための静電気除去具として、導電板、抵抗器、ネオンランプ及び導電棒を直列接続し、これらを絶縁材からなる枠体に取り付け、枠体から導電棒の先端を突出させるとともに、導電板の一部を露出させる露出孔とネオンランプの点灯状態を透視できる透視孔とを設けてなるもの（例えば、特許文献１参照。）、合成樹脂製のケースの一端部に金属製接触子を取り付け、該接触子と導通するネオン放電管をケースに内蔵し、ケースの他端部には支持金具を取り付けてなるもの（例えば、特許文献２参照。）等がある。
【０００３】
【特許文献１】実開昭５５−１７７７８７号公報（第１図）
【特許文献２】実開昭５９−１０３４００号公報（第１−２図）
【考案の開示】
【考案が解決しようとする課題】
【０００４】
静電気除去具は頻繁に使用されるものであり、使用する際には直ぐに取り出せる必要があるため、常に携帯できる必要がある。そのため、静電気除去具は、キーホルダ（例えば、特許文献１及び２参照。）又はアクセサリ等として携帯しやすい商品とされる。一方、静電気除去具は、性別・年齢を問わない商品であるため、老若男女の各使用者の多様な好みに応える必要がある。
【０００５】
しかし、従来の静電気除去具は、静電気除去機能及びキーホルダ等としての機能を奏するのみであり、使用者の多様な好みに応えることができないものである。また、使用者各個人の嗜好が時とともに変化する場合もあり、このような嗜好の変化に対応することができない。その上、従来の静電気除去具を、例えば鞄や洋服等に付けるアクセサリとして使用した場合、これら鞄等の個々のデザインと合わせることができないため、特におしゃれ感覚が鋭くスタイルや流行に敏感な若い女性の好みに対応することができない。その上さらに、従来の複数の静電気除去具を、例えば複数のキーに対して個別のキーホルダとして複数使用した場合、これら複数の鍵の区別が困難である。
【０００６】
そこで本考案が前述の状況に鑑み、解決しようとするところは、高い携帯性を有するとともに、使用者の好みに合わせて、又は静電気除去具を付けるもののデザイン等に合わせて、その外観を容易に変更することができ、例えば複数のキーに対して個別のキーホルダとして複数使用した場合において、これら複数のキーの区別が容易である静電気除去具を提供する点にある。
【課題を解決するための手段】
【０００７】
本考案に係る静電気除去具は、前記課題解決のために、人体又は物体に蓄電した静電気の除去を放電回路により行う静電気除去具であって、前記放電回路が取り付けられた本体と、該本体の表面を被う透明なカバー体と、前記本体及び前記カバー体の間に位置させる、表面に模様などを有するシート体とを備え、前記カバー体を前記本体に対して着脱自在としてなるものである。
【０００８】
ここで、前記本体をプレート状とし、前記カバー体を前記本体のほぼ表面全体を被う大きさのプレート状とし、これら本体及びカバー体の一方の側端部に係止片を、他方の側端部に該係止片が係止される凹部を形成してなると好ましい。
【０００９】
また、前記本体に前記放電回路の放電状態を示す表示部を設け、前記シート体を前記本体のほぼ表面全体を被うものとし、該シート体に前記表示部を外部から視認可能とする開口部を設けてなると好ましい。
【考案の効果】
【００１０】
本考案に係る静電気除去具によれば、人体又は物体に蓄電した静電気の除去を放電回路により行う静電気除去具であって、前記放電回路が取り付けられた本体と、該本体の表面を被う透明なカバー体と、前記本体及び前記カバー体の間に位置させる、表面に模様又は文字若しくは識別標識を有するシート体とを備え、前記カバー体を前記本体に対して着脱自在としてなるので、カバー体を本体から外すことによりシート体を容易に交換することができる。したがって、簡素な構成により高い携帯性を有するとともに、使用者の好みに合わせて、又は静電気除去具を付けるもののデザイン等に合わせて、シート体を交換することにより、その外観を容易に変更することができる。また、例えば複数のキーに対して個別のキーホルダとして複数使用した場合において、シート体にキーが使用される箇所を記載することにより、これら複数のキーを容易に区別することができる。
【００１１】
また、前記本体をプレート状とし、前記カバー体を前記本体のほぼ表面全体を被う大きさのプレート状とし、これら本体及びカバー体の一方の側端部に係止片を、他方の側端部に該係止片が係止される凹部を形成してなると、前記効果に加え、プレート状の薄型であるため、さらに携帯性が向上する。その上、前記側端部に一体形成された係止片と凹部とにより容易かつ確実にカバー体を本体に対して着脱することができるため、シート体をさらに容易に交換することができる。
【００１２】
さらに、前記本体に前記放電回路の放電状態を示す表示部を設け、前記シート体を前記本体のほぼ表面全体を被うものとし、該シート体に前記表示部を外部から視認可能とする開口部を設けてなると、前記効果に加え、外部から透明のカバー体及びシート体の開口部を通して前記表示部が視認できるため、放電状態を認識することができる。その上、静電気除去時（放電時）に発光又は液晶表示等される光又は模様等と、シート体の模様又は色彩等を組合せることによって、さらに商品価値を高めることができる。
【考案を実施するための最良の形態】
【００１３】
次に、本考案の実施の形態を添付図面に基づいて説明する。図１〜図４は、本考案の実施の形態に係る静電気除去具に関する図であり、図１は使用状態を示す斜視図であり、図２は斜視図であり、図３は図２のX−X矢視断面図であり、図４は分解斜視図である。
【００１４】
静電気除去具Ａは、図２〜図４に示すように、人体又は物体に蓄電した静電気の除去を放電回路により行うものであり、本体１と、カバー体２と、シート体３とを備え、前記カバー体２を前記本体１に対して着脱自在としたものである。
【００１５】
本体１には、人体又は物体に蓄電した静電気の除去を行う放電回路４が取り付けられており、具体的には、図３及び図４に示すように、絶縁材である合成樹脂で一体成形された長楕円形のプレート状の基台５内に、導電板を用いた接端子６、ネオン放電管７、導電板を用いた把持部８が配置され、それぞれリード線９で直列接続することにより、放電回路４が形成される。
そして、本体１には、図４に示すように、基台５長辺中央の両側端部に、後述するカバー体２の一対の係止片を係止させる一対の凹部１０，１０が設けられており、さらに、本体１の放電回路４の表面には、シート体３を載せて支持するための長楕円形の支持プレート１１両端が、接端子６と把持部８に、ビス１２で固定されており、そして、この支持プレート１１の途中には、前記ネオン放電管７を外部から視認可能とする開口窓１３が設けられている。
なお、図例の放電回路４では、人体又は物体に蓄電した静電気が流れると、ネオン放電管７が発光して、蓄電された静電気が低減させる回路となっているが、スピーカーから動物の鳴き声などの音が発せられて、静電気が低減させる回路（特に、図示せず）などを採用することも可能である。
【００１６】
カバー体２は、図２〜図４に示すように、前記本体１表面全体を被う大きさの長楕円形のプレート状とし、この長辺中央の両側端部には、前記本体１の凹部１０，１０に係止させる一対の係止１４，１４が設けられ、前記本体１のネオン放電管７の位置に合わせて、凸条１５が設けられており、全体が透明な合成樹脂で一体成形されたものである。
カバー体２は、内部のシート体３表面の模様などが見えるように透明な合成樹脂で成形されているが、この透明には半透明も含むものとする。
【００１７】
シート体３は、前記本体１及び前記カバー体２の間に位置させるものであり、図４に示すように、前記本体１のほぼ表面全体を被う略長楕円形とし、その途中に前記ネオン放電管７を外部から視認可能とする開口部１６を設けたものであり、その表面には、模様が付されている。
図例のシート体３では、表面に模様が付されているが、模様の他に、色彩、文字、写真であってもよく、また、これらを組み合わからなるものであってもよく、これらを含めたものを「模様など」と称する。
なお、シート体３は、前記本体１表面全体ではなく、表面の一部を被う形状のものであってもよい。
【００１８】
そして、静電気除去具Ａにおけるカバー体２と本体１の両側端部に設けられた係止１４，１４と凹部１０，１０の係止を解くことにより、本体１からカバー体２を外すことができ、内部のシート体３を交換することができる。
【００１９】
なお、図例の静電気除去具Ａでは、本体１に一対の凹部１０，１０が設けられ、カバー体２に一対の係止片１４，１４が設けられているが、これらを設ける位置を逆にしてもよく、取り付ける位置もさまざまな箇所に設けることが可能であり、更に、凹部１０と係止１４の数も、１個、３個以上であってもよい。
さらに、凹部１０と係止１４の係止に限らず、カバー体２を本体１に対して着脱自在できれば、さまざまな嵌合構造や、嵌合構造と丁番を組み合わせた構造とすることもできる。さらにまた、図例の静電気除去具Ａでは、カバー体２は、前記本体１の表面全体を被う大きさに設定されているが、表面の一部を被う形状のものであってもよい。
また、図例の静電気除去具Ａでは、形状を、長楕円形のプレート状としているが、円形、四角形などのプレート状としてもよく、円柱などの立体状の形状とすることも可能である。
さらにまた、上述した静電気除去具Ａでは、放電回路４の放電状態を示すものとしてネオン放電管７が用いられているが、放電状態がキャラクターなどで表示される液晶パネルを用いることもでき、放電回路４の放電状態を示すさまざまな表示部を用いることが可能である。
【００２０】
このように、静電気除去具Ａによれば、図１に示すように、把持部８が接するように手で持って、接端子６の先端を部屋のノブ１７に接触させると、人体に蓄電された静電気が、電気回路４における把持部８から接端子６に流れるが、途中のネオン放電管７が発光することにより、蓄電された静電気が低減させ、静電気によるショックをなくすことができる。
【００２１】
このように、静電気除去具Ａによれば、カバー体２を本体１から外すことによりシート体３を容易に交換することができるので、簡素な構成により高い携帯性を有するとともに、使用者の好みに合わせて、又は静電気除去具Ａを付けるもののデザイン等に合わせて、シート体３を交換することにより、その外観を容易に変更することができる。
また、プレート状の薄型であるため、さらに携帯性が向上する。その上、カバー体２と本体１に設けられた一対の係止１４，１４と凹部１０，１０とにより容易かつ確実にカバー体２を本体１に対して着脱することができるため、シート体３をさらに容易に交換することができる。
更に、外部から透明のカバー体２及びシート体３の開口部１６を通して前記ネオン放電管７が視認できるため、放電状態を認識することができる。その上、静電気除去時（放電時）に発光又は液晶表示等される光又は模様などと、シート体の模様又は色彩などを組み合わせることによって、さらに商品価値を高めることができる。
【００２２】
最後に、本考案の他の実施の形態に係る他の静電気除去具について説明する。図５は、本考案の実施の形態に係る他の静電気除去具の使用状態を示す平面図である。
静電気除去具Ａは、図５に示しように、金属製のチェーン１８でキー１９が、把持部８に連結されており、そして、静電気除去具Ａのシート体３表面には、キー１９が使用される箇所である「倉庫」が記載されている。
このように、例えば複数のキーに対して個別のキーホルダとして複数使用した場合において、シート体にキーが使用される箇所を記載することにより、これら複数のキーを容易に区別することができる。
また、図５の静電気除去具Ａのように、チェーン１８やキー１９を連結すれば、把持部８に手が触れなくても、チェーン１８やキー１９を触れていれば、静電気の低減を行うことができる。
【図面の簡単な説明】
【００２３】
【図１】静電気除去具の使用状態を示す斜視図である。
【図２】静電気除去具の斜視図である。
【図３】図２のX−X矢視断面図である。
【図４】静電気除去具の分解斜視図である。
【図５】他の静電気除去具の使用状態を示す平面図である。
【符号の説明】
【００２４】
Ａ  静電気除去具
１  本体
２  カバー体
３  シート体
４  放電回路
５  基台
６  接端子
７  ネオン放電管
８  把持部
９  リード線
１０  凹部
１１  支持プレート
１２  ビス
１３  開口窓
１４  係止片
１５  凸部
１６  開口条
１７  ノブ
１８  チェーン
１９  キー
【図１】
0003128942.tif 000003
【図２】
0003128942.tif 000004
【図３】
0003128942.tif 000005
【図４】
0003128942.tif 000006
【図５】
0003128942.tif 000007